(57)【要約】      （修正有）【課題】クレジットカードの現物を携行することに起因するカード盗用を防止するクレジット決済方法およびクレジット決済システムを提供する。【解決手段】顧客の携帯端末１は、入力したパスワードおよび携帯端末１の固体番号を顧客情報として携帯キャリアサーバ３に送信する。携帯キャリアサーバ３は、携帯端末１から受信した顧客情報によりクレジットカード情報の送信をクレジット決済サーバ６に求める。クレジット決済サーバ６は、クレジットカード情報を携帯キャリアサーバ３に送信し、携帯キャリアサーバ３は、これを携帯端末１に送信する。携帯端末１は、クレジットカード情報を表示後、ＱＲコード（登録商標）として表示する。店舗端末４は、ＱＲコードを読取り、売上情報と共にクレジット決済サーバ６に送信する。クレジット決済サーバ６は、携帯キャリアサーバ３を介して携帯端末１にクレジット利用情報を送信し、店舗端末４に決済完了情報を送信する。【選択図】図１
2012083913.tif 000002
【特許請求の範囲】
【請求項１】
顧客が携行する携帯端末と、この携帯端末用の携帯キャリアサーバと、クレジット加盟店に設置された店舗端末と、顧客がクレジット加盟店に支払うべきクレジット代金の決済を行うためのクレジット決済サーバとが協働してつぎの（Ａ）〜（Ｈ）の処理を実行することを特徴とするクレジット決済方法。
（Ａ）携帯端末は、顧客にパスワードの入力を求め、入力されたパスワードおよび携帯端末の固体番号を顧客情報として携帯キャリアサーバに送信する。
（Ｂ）携帯キャリアサーバは、携帯端末から受信した顧客情報を顧客情報データベースと照合してその顧客を認証し、認証した顧客の少なくとも一つのクレジットカード情報の送信をクレジット決済サーバに要求する。
（Ｃ）クレジット決済サーバは、携帯キャリアサーバからの要求に応じて、顧客の氏名、カード番号および有効期限を含む顧客の少なくとも一つのクレジットカード情報を携帯キャリアサーバに送信する。
（Ｄ）携帯キャリアサーバは、クレジット決済サーバから受信した顧客の少なくとも一つのクレジットカード情報を携帯端末に送信する。
（Ｅ）携帯端末は、携帯キャリアサーバから受信した顧客の少なくとも一つのクレジットカード情報を画面に表示して顧客に使用するクレジットカードを選択させる。
（Ｆ）携帯端末は、顧客の選択操作に応じて、顧客が選択したクレジットカードの情報をＱＲコードまたはバーコードとして画面に表示する。
（Ｇ）店舗端末は、携帯端末の画面にクレジットカード情報として表示されたＱＲコードまたはバーコードを読み取り、読み取った顧客のクレジットカード情報を顧客が支払うべきクレジット代金を含む店舗売上情報と共にクレジット決済サーバに送信する。
（Ｈ）クレジット決済サーバは、店舗端末から受信した顧客のクレジットカード情報および店舗売上情報に基づき、携帯キャリアサーバを介して顧客の携帯端末にクレジット利用情報を送信し、かつ、店舗端末にクレジット決済完了情報を送信する。
【請求項２】
前記携帯端末がＩＣチップおよびアンテナを内蔵する非接触型ＩＣカードの機能を有し、前記店舗端末がＩＣカードリーダを備えており、前記（Ｆ）の処理の代わりに携帯端末が顧客の選択操作に応じて、顧客が選択したクレジットカードの情報をＩＣチップに一時記憶し、前記（Ｇ）の処理の代わりに店舗端末がＩＣカードリーダにより携帯端末のＩＣチップから顧客のクレジットカード情報を受信し、そのクレジットカード情報を顧客が支払うべきクレジット代金を含む店舗売上情報と共にクレジット決済サーバに送信することを特徴とする請求項１に記載のクレジット決済方法。
【請求項３】
ウェブカメラおよび／またはＩＣカードリーダを有し、かつ、インターネットに接続可能なパーソナルコンピュータがインターネットショッピングにおいて、前記店舗端末の代わりに前記（Ｇ）の処理を実行することを特徴とする請求項１または２に記載のクレジット決済方法。
【請求項４】
顧客が携行する携帯端末と、この携帯端末用の携帯キャリアサーバと、クレジット加盟店に設置された店舗端末と、顧客がクレジット加盟店に支払うべきクレジット代金の決済を行うためのクレジット決済サーバとが協働してつぎの（Ａ）〜（Ｆ）の処理を実行する手段を備えていることを特徴とするクレジット決済システム。
（Ａ）携帯端末は、顧客にパスワードの入力を求め、入力されたパスワードおよび携帯端末の固体番号を顧客情報として携帯キャリアサーバに送信する。
（Ｂ）携帯キャリアサーバは、携帯端末から受信した顧客情報を顧客情報データベースと照合してその顧客を認証し、認証した顧客の少なくとも一つのクレジットカード情報の送信をクレジット決済サーバに要求する。
（Ｃ）クレジット決済サーバは、携帯キャリアサーバからの要求に応じて、顧客の氏名、カード番号および有効期限を含む顧客の少なくとも一つのクレジットカード情報を携帯キャリアサーバに送信する。
（Ｄ）携帯キャリアサーバは、クレジット決済サーバから受信した顧客の少なくとも一つのクレジットカード情報を携帯端末に送信する。
（Ｅ）携帯端末は、携帯キャリアサーバから受信した顧客の少なくとも一つのクレジットカード情報を画面に表示して顧客に使用するクレジットカードを選択させる。
（Ｆ）携帯端末は、顧客の選択操作に応じて、顧客が選択したクレジットカードの情報をＱＲコードまたはバーコードとして画面に表示する。
（Ｇ）店舗端末は、携帯端末の画面にクレジットカード情報として表示されたＱＲコードまたはバーコードを読み取り、読み取った顧客のクレジットカード情報を顧客が支払うべきクレジット代金を含む店舗売上情報と共にクレジット決済サーバに送信する。
（Ｈ）クレジット決済サーバは、店舗端末から受信した顧客のクレジットカード情報および店舗売上情報に基づき、携帯キャリアサーバを介して顧客の携帯端末にクレジット利用情報を送信し、かつ、店舗端末にクレジット決済完了情報を送信する。
【請求項５】
前記携帯端末がＩＣチップおよびアンテナを内蔵する非接触型ＩＣカードの機能を有し、前記店舗端末がＩＣカードリーダを備えており、前記（Ｆ）の処理の代わりに携帯端末が顧客の選択操作に応じて、顧客が選択したクレジットカードの情報をＩＣチップに一時記憶し、前記（Ｇ）の処理の代わりに店舗端末がＩＣカードリーダにより携帯端末のＩＣチップから顧客のクレジットカード情報を受信し、そのクレジットカード情報を顧客が支払うべきクレジット代金を含む店舗売上情報と共にクレジット決済サーバに送信することを特徴とする請求項４に記載のクレジット決済システム。
【請求項６】
ウェブカメラおよび／またはＩＣカードリーダを有し、かつ、インターネットに接続可能なパーソナルコンピュータがインターネットショッピングにおいて、前記店舗端末の代わりに前記（Ｇ）の処理を実行することを特徴とする請求項４または５に記載のクレジット決済システム。
【発明の詳細な説明】
【技術分野】
【０００１】
本発明は、顧客がクレジット加盟店に支払うべきクレジット代金の決済方法およびそのシステムに関し、詳しくは、顧客が携行する携帯端末の機能を利用したクレジット決済方法およびクレジット決済システムに関するものである。
【背景技術】
【０００２】
顧客がクレジット加盟店に支払うべきクレジット代金の決済システムとして、決済期間を劇的に短縮することができる「クレジット決済システム」が特許文献１により従来一般に知られている。また、クレジットカードの認証システムとして、「携帯電話を利用したクレジットカード認証システム」が特許文献２により従来一般に知られている。
【０００３】
ここで、特許文献１には、クレジットカードのデータを読取る共に取引情報を入力するようにクレジット加盟店に配備される端末（店舗端末）と、取引の記録用データベースを備え、かつ、クレジットカードを発行しているクレジット会社の認証を得るゲートウェイサーバーとをインターネットを介して常時接続可能に構成することが開示されている。
【０００４】
一方、特許文献２には、クレジットカード決済時に、携帯電話がＰＯＳ端末から取得した購入情報（店舗、商品、ＰＯＳ識別番号など）、携帯電話の電話番号およびパスワードを携帯電話から認証装置へ送信し、購入情報およびユーザＩＤをＰＯＳ端末から認証装置へ送信し、携帯電話から送信された購入情報および携帯番号と、ＰＯＳ端末から送信された購入情報およびユーザＩＤとに基づいて認証装置が認証を行うことが開示されている。
【先行技術文献】
【特許文献】
【０００５】
【特許文献１】特開２００３−３２３５７６号公報
【特許文献２】特開２００５−１８２３３８号公報
【発明の概要】
【発明が解決しようとする課題】
【０００６】
ところで、特許文献１に記載されているクレジット決済システムにおいては、クレジット加盟店に配備される店舗端末がクレジットカードの現物から直接にそのカードデータを読取るようになっている。同様に、特許文献２に記載されているクレジットカード認証システムにおいては、ＰＯＳ端末がクレジットカードの現物をスキャンするようになっている。
【０００７】
従って、特許文献１または特許文献２に記載の従来技術においては、店舗端末やＰＯＳ端末からクレジットカードのカード情報がスキミング等により不正にコピーされて盗用される恐れがある。また、顧客がクレジットカードの現物を携行する必要があるため、クレジットカードの紛失や盗難の恐れがつきまとう。
【０００８】
本発明は、このような従来技術の問題点に対応してなされたものであり、顧客がクレジットカードの現物を携行することに起因するクレジットカードの盗用、盗難、紛失を確実に防止することができるクレジット決済方法およびクレジット決済システムを提供することを課題とする。
【課題を解決するための手段】
【０００９】
このような課題を解決するため、本発明に係るクレジット決済方法は、顧客が携行する携帯端末と、この携帯端末用の携帯キャリアサーバと、クレジット加盟店に設置された店舗端末と、顧客がクレジット加盟店に支払うべきクレジット代金の決済を行うためのクレジット決済サーバとが協働してつぎの（Ａ）〜（Ｈ）の処理を実行することを特徴とする。また、本発明に係るクレジット決済システムは、顧客が携行する携帯端末と、この携帯端末用の携帯キャリアサーバと、クレジット加盟店に設置された店舗端末と、顧客がクレジット加盟店に支払うべきクレジット代金の決済を行うためのクレジット決済サーバとが協働してつぎの（Ａ）〜（Ｈ）の処理を実行する手段を備えていることを特徴とする。
【００１０】
すなわち、本発明のクレジット決済システムを使用したクレジット決済方法では、（Ａ）携帯端末は、顧客にパスワードの入力を求め、入力されたパスワードおよび携帯端末の固体番号を顧客情報として携帯キャリアサーバに送信する。（Ｂ）携帯キャリアサーバは、携帯端末から受信した顧客情報を顧客情報データベースと照合してその顧客を認証し、認証した顧客の少なくとも一つのクレジットカード情報の送信をクレジット決済サーバに要求する。（Ｃ）クレジット決済サーバは、携帯キャリアサーバからの要求に応じて、顧客の氏名、カード番号および有効期限を含む顧客の少なくとも一つのクレジットカード情報を携帯キャリアサーバに送信する。（Ｄ）携帯キャリアサーバは、クレジット決済サーバから受信した顧客の少なくとも一つのクレジットカード情報を携帯端末に送信する。（Ｅ）携帯端末は、携帯キャリアサーバから受信した顧客の少なくとも一つのクレジットカード情報を画面に表示して顧客に使用するクレジットカードを選択させる。（Ｆ）携帯端末は、顧客の選択操作に応じて、顧客が選択したクレジットカードの情報をＱＲコードまたはバーコードとして画面に表示する。（Ｇ）店舗端末は、携帯端末の画面にクレジットカード情報として表示されたＱＲコードまたはバーコードを読み取り、読み取った顧客のクレジットカード情報を顧客が支払うべきクレジット代金を含む店舗売上情報と共にクレジット決済サーバに送信する。（Ｈ）クレジット決済サーバは、店舗端末から受信した顧客のクレジットカード情報および店舗売上情報に基づき、携帯キャリアサーバを介して顧客の携帯端末にクレジット利用情報を送信し、かつ、店舗端末にクレジット決済完了情報を送信する。
【００１１】
本発明のクレジット決済方法およびクレジット決済システムにおいて、顧客が複数のクレジット会社と契約している場合、各クレジット会社の情報を顧客情報データベースに蓄積しておくことで、携帯キャリアサーバは、（Ｂ）の処理として、顧客のクレジットカード情報の送信を各クレジット会社のクレジット決済サーバに要求することができる。また、顧客が各クレジット会社に対応して設定した複数のパスワードを顧客情報データベースに蓄積しておくことで、携帯キャリアサーバは、（Ｂ）の処理として、顧客が入力したパスワードに対応するクレジット会社のクレジット決済サーバにのみ顧客のクレジットカード情報の送信を要求することができる。
【００１２】
ここで、本発明のクレジット決済方法およびクレジット決済システムにおいては、携帯端末がＩＣチップおよびアンテナを内蔵する非接触型ＩＣカードの機能を有し、店舗端末がＩＣカードリーダを備えている場合、（Ｆ）の処理の代わりに携帯端末が顧客の選択操作に応じて、顧客が選択したクレジットカードの情報をＩＣチップに一時記憶し、（Ｇ）の処理の代わりに店舗端末がＩＣカードリーダにより携帯端末のＩＣチップから顧客のクレジットカード情報を受信し、そのクレジットカード情報を顧客が支払うべきクレジット代金を含む店舗売上情報と共にクレジット決済サーバに送信するように構成することができる。
【００１３】
また、本発明のクレジット決済方法およびクレジット決済システムは、いわゆるインターネットショッピングのクレジット決済にも適用可能である。この場合、ウェブカメラおよび／またはＩＣカードリーダを有し、かつ、インターネットに接続可能なパーソナルコンピュータを店舗端末の代わりに使用して（Ｇ）の処理を実行させる。
【発明の効果】
【００１４】
本発明に係るクレジット決済方法およびクレジット決済システムでは、携帯端末と携帯キャリアサーバと店舗端末とクレジット決済サーバとが協働して前述した（Ａ）〜（Ｈ）の処理を実行することにより、顧客がクレジット加盟店に支払うべきクレジット代金の決済が完了する。その際、店舗端末は、顧客が携行する携帯端末の画面に表示されたＱＲコードまたはバーコードからクレジットカード情報を読み取り、あるいは、顧客の携帯端末に内蔵されたＩＣチップに一時記憶された顧客のクレジットカード情報をＩＣチップから受信する。従って、本発明のクレジット決済方法およびクレジット決済システムによれば、顧客がクレジットカードの現物を携行することに起因するクレジットカードの盗用、盗難、紛失を確実に防止することができる。
【００１５】
また、本発明のクレジット決済方法およびクレジット決済システムによれば、ウェブカメラおよび／またはＩＣカードリーダを有し、かつ、インターネットに接続可能なパーソナルコンピュータを店舗端末の代わりに使用して（Ｇ）の処理を実行させることにより、いわゆるインターネットショッピングのクレジット決済にも対応できる。
【図面の簡単な説明】
【００１６】
【図１】本発明の一実施形態に係るクレジット決済方法を実現する一実施形態のクレジット決済システムの概要を示す構成図である。
【図２】一実施形態に係るクレジット決済システムが実行する処理を説明するシーケンス図である。
【図３】携帯端末の液晶画面に表示されるパスワード入力受付画面の一例を示す平面図である。
【図４】携帯端末の液晶画面に表示されるクレジットカード情報確認画面の一例を示す平面図である。
【図５】携帯端末の液晶画面に表示されるＱＲコード一例を示す平面図である。
【発明を実施するための形態】
【００１７】
以下、添付の図面を参照して本発明に係るクレジット決済方法およびクレジット決済システムの実施の形態を説明する。一実施形態のクレジット決済方法は、例えば図１に示す一実施形態のクレジット決済システムによって実現されるものである。そこで、まず、一実施形態のクレジット決済システムの概要を説明する。
【００１８】
図１に示すように、一実施形態のクレジット決済システムは、顧客が携行する携帯端末１と、この携帯端末１が携帯電話網２を介して通信可能に接続される携帯キャリアサーバ３と、クレジット加盟店に設置された店舗端末４と、この店舗端末４が専用回線網５を介して通信可能に接続されるクレジット決済サーバ６とを備え、このクレジット決済サーバ６は、専用回線網７を介して携帯キャリアサーバ３と通信可能に接続されている。
【００１９】
携帯端末１としては、大きな液晶画面１Ａを有し、かつ、通信用の内蔵アンテナや入出力インターフェースＩ／Ｏ、ＲＯＭ、ＲＡＭ、ＣＰＵなどを備えることで、各種のアプリケーションソフトウェアをダウンロードによりインストールして実行できる機能を備えた各種のスマートフォンが好適に使用されている。
【００２０】
この携帯端末１には、顧客にパスワードの入力を求め、入力されたパスワードおよび携帯端末の固体番号を顧客情報として携帯キャリアサーバ２に送信するためのアプリケーションソフトウェアと、携帯キャリアサーバ３から受信した顧客の氏名、クレジットカードのカード番号および有効期限を含む顧客のクレジットカード情報を液晶画面１Ａに表示するためのアプリケーションソフトウェアと、顧客の操作に応じて、携帯キャリアサーバ３から受信した顧客のクレジットカード情報をＱＲコードとして液晶画面１Ａに表示するためのアプリケーションソフトウェアとが予めインストールされている。
【００２１】
携帯キャリアサーバ３は、入出力インターフェースＩ／Ｏ、ＲＯＭ、ＲＡＭ、ＣＰＵなどを備えたコンピュータで構成されている。この携帯キャリアサーバ３には、携帯端末１の所有者である顧客を認証するための顧客情報データベースが構築されており、この顧客情報データベースには、顧客の少なくとも住所、氏名、携帯端末の固体番号および顧客が設定した少なくとも一つのパスワードと、顧客が契約している少なくとも一つのクレジット会社のクレジット決済サーバ６の情報とが記憶されている。
【００２２】
なお、顧客が複数のクレジット会社と契約している場合において、顧客は各クレジット会社に対応した複数のパスワードを設定してもよいし、各クレジット会社に共通する単一のパスワードを設定してもよい。
【００２３】
そして、この携帯キャリアサーバ３には、携帯端末１から受信した顧客情報を顧客情報データベースと照合してその顧客を認証するためのアプリケーションソフトウェアと、認証した顧客のクレジットカード情報の送信を複数のクレジット決済サーバ６に求めるためのアプリケーションソフトウェアと、複数のクレジット決済サーバ６から受信した顧客の複数のクレジットカード情報およびクレジット利用情報を携帯端末１に送信するためのアプリケーションソフトウェアとがインストールされている。
【００２４】
店舗端末４は、携帯端末１の液晶画面１Ａに表示されたＱＲコードを読み取るためのＱＲコードリーダ４Ａと、例えば電子マネー用の各種のＩＣカードから情報を読み取るためのＩＣカードリーダ４Ｂとが接続されたＰＯＳ端末である。この店舗端末４には、ＱＲコードリーダ４Ａで読み取った顧客のクレジットカード情報と、顧客がクレジット加盟店に支払うべきクレジット代金を含むクレジット加盟店の店舗売上情報とをクレジット決済サーバ６に送信するためのアプリケーションソフトウェアが予めインストールされている。
【００２５】
クレジット決済サーバ６は、入出力インターフェースＩ／Ｏ、ＲＯＭ、ＲＡＭ、ＣＰＵなどを備えたコンピュータで構成されている。このクレジット決済サーバ６には、顧客のクレジットカード情報データベースが構築されており、このクレジットカード情報データベースには、少なくとも顧客の住所、氏名、顧客が設定したパスワード、クレジットカードのカード番号および有効期限が記憶されている。
【００２６】
そして、このクレジット決済サーバ６には、店舗端末４から受信した顧客のクレジットカード情報および店舗売上情報に基づき、携帯キャリアサーバ３を介して顧客の携帯端末１にクレジット利用情報を送信するためのアプリケーションソフトウェアと、店舗端末４にクレジット決済完了情報を送信するためのアプリケーションソフトウェアとがインストールされている。
【００２７】
つぎに、顧客がクレジット加盟店を利用した際にクレジットでの支払いを望む場合において、一実施形態に係るクレジット決済システムの携帯端末１、携帯キャリアサーバ３、店舗端末４およびクレジット決済サーバ６が協働して実行する処理の内容を図２に示すシーケンス図に沿って順次説明する。
【００２８】
まず、ステップＳ１では、携帯端末１が液晶画面１Ａにパスワード入力画面を表示し（図３参照）、顧客にパスワードの入力を求めてパスワードの入力を受け付ける。そして、顧客がパスワードを入力すると、携帯端末１は、入力されたパスワードおよび携帯端末の固体番号を顧客情報として携帯キャリアサーバ２に送信する（ステップＳ２）。
【００２９】
ステップＳ３では、携帯端末１から受信した顧客情報を携帯キャリアサーバ２が顧客情報データベースと照合してその顧客を認証する。続くステップＳ４では、認証した顧客のクレジットカード情報の送信を携帯キャリアサーバ２がクレジット決済サーバ６に要求する。
【００３０】
ここで、顧客が複数のクレジット会社と契約しており、各クレジット会社に共通する単一のパスワードを設定している場合、携帯キャリアサーバ２は、各クレジット会社毎の複数のクレジット決済サーバ６に顧客のクレジットカード情報の送信を要求する。また、顧客が各クレジット会社毎の複数のパスワードを設定している場合には、携帯キャリアサーバ２は、入力されたパスワードに対応するクレジット会社のクレジット決済サーバ６にのみ顧客のクレジットカード情報の送信を要求する。
【００３１】
ステップＳ５では、携帯キャリアサーバ３の要求に応じて少なくとも１つのクレジット決済サーバ６が顧客の氏名、カード番号および有効期限を含む顧客のクレジットカード情報を携帯キャリアサーバ３に送信する。続くステップＳ６では、携帯キャリアサーバ３が少なくとも１つのクレジット決済サーバ６から受信した顧客の少なくとも１つのクレジットカード情報を携帯端末１に送信する。
【００３２】
ステップＳ７では、携帯キャリアサーバ２から受信した顧客の少なくとも一つのクレジットカード情報（顧客の氏名、カード番号および有効期限を含む）を携帯端末１がその液晶画面１Ａに表示し（図４参照）、顧客に使用するクレジットカードを選択させる。そして、顧客が例えば液晶画面１Ａの所定位置をタップする等の操作により、使用するクレジットカードを選択すると、ステップＳ８として、携帯端末１は、顧客が選択したクレジットカードの情報を暗号化してＱＲコードに変換し、そのＱＲコードを液晶画面１Ａに表示する（図５参照）。
【００３３】
一方、店舗端末４は、顧客が携行している携帯端末１の液晶画面１Ａにクレジットカード情報として表示されたＱＲコードをＱＲコードリーダ４Ａにより読み取る（ステップＳ９）。そして、つぎのステップＳ１０において、店舗端末４は、ＱＲコードリーダ４Ａで読み取った顧客のクレジットカード情報と、顧客が購入した商品あるいは顧客が受けたサービスおよびそのクレジット代金を含む店舗売上情報とをクレジット決済サーバ６に送信する。
【００３４】
ステップＳ１１では、店舗端末４から受信した顧客のクレジットカード情報および店舗売上情報に基づき、顧客が利用したクレジット利用情報（購入した商品あるいは利用したサービスとそのクレジット代金など）をクレジット決済サーバ６が携帯キャリアサーバ３に送信する。そして、携帯キャリアサーバ３がクレジット決済サーバ６から受信したクレジット利用情報を携帯端末１に例えばメールとして送信する（ステップＳ１２）。また、ステップＳ１３として、クレジット決済サーバ６が店舗端末４にクレジット決済完了情報を送信する。なお、携帯端末１は、ステップＳ１２のクレジット利用情報を受信した後、携帯キャリアサーバ２から受信した顧客のクレジットカード情報を消去する。
【００３５】
以上説明したように、一実施形態のクレジット決済システムにより実現される一実施形態のクレジット決済方法によれば、図２のシーケンス図に示すステップＳ１〜Ｓ１３の処理により、顧客がクレジット加盟店に支払うべきクレジット代金の決済が完了する。その際、顧客が携行する携帯端末１の液晶画面１Ａには、顧客の氏名、カード番号および有効期限を含む顧客のクレジットカード情報が暗号化されたＱＲコードとして表示され、このＱＲコードがクレジットカードの現物の代わりに店舗端末４のＱＲコードリーダ４Ａによって読み取られる。
【００３６】
従って一実施形態のクレジット決済方法およびクレジット決済システムによれば、顧客がクレジットカードの現物を携行することに起因するクレジットカードの盗用、盗難、紛失を確実に防止することができる。また、顧客が複数のクレジットカードの現物を携行する煩わしさを解消することができる。
【００３７】
本発明に係るクレジット決済方法およびクレジット決済システムは、前述した一実施形態に限定されるものではない。例えば、携帯端末１の液晶画面１Ａに表示されるＱＲコードはバーコードに変更し、これに対応して店舗端末４のＱＲコードリーダ４Ａは、バーコードリーダに変更してもよい。
【００３８】
また、携帯端末１は、いわゆるスマートフォンに限定されるものではなく、従来一般の携帯電話機やＰＤＡ（Personal Digital Assistant）、ノートＰＣ、各種の電子ブックリーダを携帯端末１として使用することができる。
【００３９】
ここで、ＩＣチップおよびアンテナを内蔵することで例えば電子マネーの使用が可能な非接触型ＩＣカードの機能を有する携帯電話機を携帯端末１とした場合、前述したステップＳ８の処理の代わりに、携帯端末１は、顧客が選択したクレジットカードの情報をＩＣチップに一時記憶し、また、前述したステップＳ９の処理の代わりに、店舗端末４は、顧客が携行している携帯端末１のＩＣチップに一時記憶されたクレジットカード情報をＩＣカードリーダ４ＢによりＩＣチップから受信するようにしてもよい。この場合、ステップＳ１０では、店舗端末４は、ＩＣカードリーダ４Ｂにより受信した顧客のクレジットカード情報を顧客が支払うべきクレジット代金を含む店舗売上情報と共にクレジット決済サーバ６に送信する。
【００４０】
また、図示省略したが、ウェブカメラおよび／またはＩＣカードリーダを有し、かつ、インターネットに接続可能なパーソナルコンピュータを店舗端末４の代わりに使用することができる。この場合、携帯端末１の液晶画面１Ａに表示されたＱＲコードをウェブカメラに読み取らせ、あるいは、携帯端末１に内蔵されたＩＣチップからＩＣカードリーダに顧客のクレジットカード情報を送信することで、いわゆるインターネットショッピングのクレジット決済にも対応可能となる。
【００４１】
さらに、ステップＳ７の処理で携帯端末１の液晶画面１Ａに顧客のクレジットカード情報を表示させる際には、他の付加情報も併せて表示させることができる。例えば、使用するクレジットカードの選択の一助として、各クレジット会社の金利や為替レートの情報、あるいは、クレジットカード利用により付与されるポイントの情報などを表示させることができる。
【符号の説明】
【００４２】
１  ：携帯端末
１Ａ：液晶画面
２  ：携帯電話網
３  ：携帯キャリアサーバ
４  ：店舗端末
４Ａ：ＱＲコードリーダ
５  ：専用回線網
６  ：クレジット決済サーバ
７  ：専用回線網
【図１】
2012083913.tif 000003
【図２】
2012083913.tif 000004
【図３】
2012083913.tif 000005
【図４】
2012083913.tif 000006
【図５】
2012083913.tif 000007